(57)【要約】【課題】従来よりも、設置場所の自由度を向上させ、低価格で、雨や雪などによる影響を低減させることを可能にするカメラを提供する。【解決手段】カメラ１０は、カメラ筐体１１、レンズ鏡筒１２、レンズ１３、ヒータ１４、及び、防水用部材１５を備える。レンズ鏡筒１２はカメラ筐体１１に格納されている。レンズ１３はレンズ鏡筒１２の内部に固定されている。ヒータ１４はレンズ鏡筒１２に固定され、レンズ１３をレンズ鏡筒１２を介して加熱する。防水用部材１５はレンズ鏡筒１２とカメラ筐体１１との間隙に配置され、レンズ鏡筒１２及びカメラ筐体１１と密着している。【選択図】図１
2017102365.tif 000002
【特許請求の範囲】
【請求項１】
カメラ筐体と、
前記カメラ筐体に格納されているレンズ鏡筒と、
前記レンズ鏡筒の内部に固定されているレンズと、
前記レンズ鏡筒に固定され、前記レンズを前記レンズ鏡筒を介して加熱するヒータと、
前記レンズ鏡筒と前記カメラ筐体との間隙に配置され、前記レンズ鏡筒及び前記カメラ筐体に密着する防水用部材と、
を備えることを特徴とするカメラ。
【請求項２】
前記ヒータは前記レンズ鏡筒の光軸方向の端面または外周面に固定されていることを特徴とする請求項１に記載のカメラ。
【請求項３】
前記レンズは、中心部が凸状に形成され、前記中心部の周囲が凹状に形成されていることを特徴とする請求項１または２に記載のカメラ。
【発明の詳細な説明】
【技術分野】
【０００１】
本発明は、赤外カメラ等の車外や屋外で使用されるカメラに関する。
【背景技術】
【０００２】
赤外カメラ等の屋外や車外で使用されるカメラでは、雨や雪などがレンズに付着して撮影が困難になる場合がある。そのため、雨や雪などによる影響を低減させることが重要である。
【０００３】
特許文献１には、カメラをカメラケースに格納することで、雨や雪などによる影響を低減させることが記載されている。また、カメラケースの撮影用窓の周辺にヒータを配置することで、窓に付着した雪を溶かすことが記載されている。
【先行技術文献】
【特許文献】
【０００４】
【特許文献１】特開２００３−２０９７２３号公報
【発明の概要】
【発明が解決しようとする課題】
【０００５】
しかしながら、カメラケースはカメラを格納するための大きさが必要である。そのため、全体的に大きくなってしまうので、カメラの設置場所が制限される場合がある。また、カメラの他にカメラケースが必要になるため価格が高くなってしまう。
【０００６】
本発明はこのような問題点に鑑み、従来よりも、設置場所の自由度を向上させ、低価格で、雨や雪などによる影響を低減させることを可能にするカメラを提供することを目的とする。
【課題を解決するための手段】
【０００７】
本発明は、カメラ筐体と、カメラ筐体に格納されているレンズ鏡筒と、レンズ鏡筒の内部に固定されているレンズと、レンズ鏡筒に固定され、レンズをレンズ鏡筒を介して加熱するヒータと、レンズ鏡筒とカメラ筐体との間隙に配置され、レンズ鏡筒及びカメラ筐体に密着する防水用部材とを備えることを特徴とするカメラを提供する。
【発明の効果】
【０００８】
本発明のカメラによれば、従来よりも、設置場所の自由度を向上させ、低価格で、雨や雪などによる影響を低減させることができる。
【図面の簡単な説明】
【０００９】
【図１】第１実施形態のカメラのレンズ周辺部を模式的に示す部分断面図である。
【図２】第２実施形態のカメラのレンズ周辺部を模式的に示す部分断面図である。
【図３】第３実施形態のカメラのレンズ周辺部を模式的に示す部分断面図である。
【図４】第４実施形態のカメラのレンズ周辺部を模式的に示す部分断面図である。
【図５】第５実施形態のカメラのレンズ周辺部を模式的に示す部分断面図である。
【図６】第６実施形態のカメラのレンズ周辺部を模式的に示す部分断面図である。
【図７】第７実施形態のカメラのレンズ周辺部を模式的に示す部分断面図である。
【発明を実施するための形態】
【００１０】
図１〜図７を用いて第１実施形態〜第７実施形態のカメラを説明する。第１実施形態〜第７実施形態のカメラは、例えば、屋外や車外で使用される赤外カメラである。具体的には夜間に人や車を検知するための車載用ナイトビジョンカメラである。第１実施形態〜第７実施形態のカメラは、レンズ周辺部を加熱するためのヒータがレンズ鏡筒に固定されている点で一致し、固定されている位置が相違する。即ち、第１実施形態〜第７実施形態のカメラはレンズ周辺部に特徴を有する。そこで、第１実施形態〜第７実施形態のカメラについて、レンズ周辺部を主体に説明する。
【００１１】
［第１実施形態］
図１を用いて第１実施形態のカメラを説明する。図１は第１実施形態のカメラのレンズ周辺部を模式的に示す部分断面図である。
【００１２】
カメラ１０は、カメラ筐体１１、レンズ鏡筒１２、レンズ１３、ヒータ１４、及び、防水用部材１５を備える。
【００１３】
カメラ筐体１１は金属材料または樹脂材料で形成されている。カメラ筐体１１には開口部１１ａが形成されている。開口部１１ａは外部（図１における上方向）に向かって開口径が大きくなるように形成されている。
【００１４】
レンズ鏡筒１２はカメラ筐体１１に格納されている。レンズ鏡筒１２はアルミニウム等の金属材料で形成されている。なお、図１における上下方向がレンズ鏡筒１２及びレンズ１３の光軸方向である。
【００１５】
レンズ鏡筒１２の光軸方向の端面（図１における上側の端面）１２ａ側には開口部１２ｂが形成されている。開口部１２ｂは外部に向かって開口径が大きくなるように形成されている。
【００１６】
カメラ筐体１１の開口部１１ａとレンズ鏡筒１２の開口部１２ｂとは位置合わせされている。開口部１１ａ及び開口部１２ｂは撮影用の窓として機能する。
【００１７】
レンズ１３は、レンズ鏡筒１２の内部、具体的にはレンズ鏡筒１２の開口部１２ｂ側の内周面１２ｃに固定されている。レンズ１３の開口部１２ｂ側の面（図１における上側の面）１３ａは平面に近い凹凸形状を有する。具体的には開口部１２ｂに対して、中心部１３ａ１が外部に向かって凸状に形成され、中心部１３ａ１の周囲に位置する外周部１３ａ２が凹状に形成されている。レンズ１３はガラスや樹脂等の透明材料で形成されている。
【００１８】
ヒータ１４はリング形状を有する。ヒータ１４はレンズ鏡筒１２の端面１２ａに、開口部１２ｂを囲うように固定されている。ヒータ１４でレンズ鏡筒１２を加熱することにより、レンズ１３等に付着した雨や雪を除去したり、雨や雪の付着を抑制したりすることができる。
【００１９】
防水用部材１５はリング形状を有する。防水用部材１５はヒータ１４よりも開口部１２ｂ側の端面１２ａに、ヒータ１４と同心円上に配置されている。防水用部材１５はレンズ鏡筒１２とカメラ筐体１１との間隙に配置されている。防水用部材１５はレンズ鏡筒１２の端面１２ａ及びカメラ筐体１１に密着している。防水用部材１５として例えば防水用ゴムを用いることができる。
【００２０】
レンズ１３等に付着した雨や溶けた雪などがカメラ筐体１１とレンズ鏡筒１２との間隙に侵入した場合に、カメラ筐体１１の内部への侵入を防水用部材１５で防止することができる。従って、ヒータ１４及びカメラ筐体１１の内部は防水用部材１５により保護されている。
【００２１】
カメラ１０が、レンズ１３の光軸が地面と水平になるように設置されている場合、レンズ１３等に付着した雨や溶けた雪は、レンズ１３の凹凸形状により、レンズ１３の中心部１３ａ１から外周部１３ａ２に向かって流れやすくなる。
【００２２】
レンズ１３は外周部１３ａ２が凹状になっているため、外周部１３ａ２とレンズ鏡筒１２との接触角が平坦な面と比較して大きくなっている。また、レンズ鏡筒１２及びカメラ筐体１１は、開口部１２ｂ及び開口部１１ａの開口径が外部に向かって大きくなるように形成されている。
【００２３】
そのため、レンズ１３の外周部１３ａ２へ移動した雨や溶けた雪は、さらにレンズ鏡筒１２及びカメラ筐体１１を伝って外部に流れやすくなる。従って、レンズ１３等に付着した雨や雪を容易に除去したり、雨や雪の付着を容易に抑制したりすることができる。
【００２４】
第１実施形態のカメラ１０によれば、カメラ単体で雨や雪などによる影響を低減させることができる。従って、従来よりも、低価格で、設置場所の自由度を向上させることができる。
【００２５】
［第２実施形態］
図２を用いて第２実施形態のカメラを説明する。図２は第２実施形態のカメラのレンズ周辺部を模式的に示す部分断面図である。
【００２６】
第２実施形態のカメラ２０は、第１実施形態のカメラ１０と比較して、ヒータがレンズ鏡筒の外周面に固定されている点で相違する。
【００２７】
カメラ２０は、カメラ筐体２１、レンズ鏡筒２２、レンズ２３、ヒータ２４、及び、防水用部材２５を備える。
【００２８】
カメラ筐体２１は金属材料または樹脂材料で形成されている。カメラ筐体２１には開口部２１ａが形成されている。開口部２１ａは第１実施形態のカメラ１０（図１参照）の開口部１１ａと同じ形状を有する。
【００２９】
レンズ鏡筒２２はカメラ筐体２１に格納されている。レンズ鏡筒２２はアルミニウム等の金属材料で形成されている。なお、図２における上下方向がレンズ鏡筒２２及びレンズ２３の光軸方向である。
【００３０】
レンズ鏡筒２２の光軸方向の端面（図２における上側の端面）２２ａ側には開口部２２ｂが形成されている。開口部２２ｂは第１実施形態のカメラ１０の開口部１２ｂと同じ形状を有する。
【００３１】
レンズ鏡筒２２の開口部２２ｂとカメラ筐体２１の開口部２１ａとは位置合わせされている。開口部２２ｂ及び開口部２１ａは撮影用の窓として機能する。
【００３２】
レンズ鏡筒２２の外周面２２ｄにはリブ２２ｅが形成されている。
【００３３】
レンズ２３は、第１実施形態のカメラ１０のレンズ１３と同じ形状を有し、同じ材料で形成されている。レンズ２３はレンズ鏡筒２２の内部、具体的にはレンズ鏡筒２２の開口部２２ｂ側の内周面２２ｃに固定されている。
【００３４】
ヒータ２４は短冊形状を有する。ヒータ２４はレンズ鏡筒２２の端面２２ａの近傍で外周面２２ｄを一周するように固定されている。ヒータ２４でレンズ鏡筒２２を加熱することにより、レンズ２３等に付着した雨や雪を除去したり、雨や雪の付着を抑制したりすることができる。
【００３５】
防水用部材２５は、第１実施形態のカメラ１０の防水用部材１５と同じ形状を有し、同じ材料で形成されている。防水用部材２５は防水用部材１５と同様の位置に配置されている。防水用部材２５はレンズ鏡筒２２の端面２２ａ及びカメラ筐体２１に密着している。
【００３６】
レンズ２３等に付着した雨や溶けた雪などがカメラ筐体２１とレンズ鏡筒２２との間隙に侵入した場合に、カメラ筐体２１の内部への侵入を防水用部材２５で防止することができる。従って、ヒータ２４及びカメラ筐体２１の内部は防水用部材２５により保護されている。
【００３７】
レンズ鏡筒２２に形成されているリブ２２ｅは、ヒータ２４をレンズ鏡筒２２の外周面２２ｄに容易に位置決めして固定するための位置決め機能を有している。リブ２２ｅは、ヒータ２４の厚さよりも高くなるように形成されている。リブ２２ｅは、ヒータ２４がカメラ筐体２１と接触して破損してしまうことを防止する機能を有している。
【００３８】
カメラ２０がレンズ２３の光軸が地面と水平になるように設置されている場合、第１実施形態のカメラ１０と同様の理由により、レンズ２３等に付着した雨や雪をヒータ２４により容易に除去したり、雨や雪の付着を容易に抑制したりすることができる。
【００３９】
第２実施形態のカメラ２０によれば、カメラ単体で雨や雪などによる影響を低減させることができる。従って、従来よりも、低価格で、設置場所の自由度を向上させることができる。
【００４０】
第１実施形態のカメラ１０はレンズ鏡筒１２の端面１２ａにヒータ１４と防水用部材１５とが配置されている。それに対して、第２実施形態のカメラ２０はレンズ鏡筒２２の端面２２ａには防水用部材２５のみが配置されている。そのため、第２実施形態のカメラ２０のレンズ鏡筒２２の外径Ｒ２２を、第１実施形態のカメラ１０のレンズ鏡筒１２の外径Ｒ１２よりも小さくすることができる。
【００４１】
従って、第２実施形態のカメラ２０を第１実施形態のカメラ１０よりも小さくすることができるので、設置場所の自由度をさらに向上させることができる。
【００４２】
［第３実施形態］
図３を用いて第３実施形態のカメラを説明する。図３は第３実施形態のカメラのレンズ周辺部を模式的に示す部分断面図である。
【００４３】
第３実施形態のカメラ３０は、第２実施形態のカメラ２０と比較して、ヒータがレンズ鏡筒の端面から離れた位置で外周面に固定されている点で相違する。
【００４４】
カメラ３０は、カメラ筐体３１、レンズ鏡筒３２、レンズ３３、ヒータ３４、及び、防水用部材３５を備える。
【００４５】
カメラ筐体３１は金属材料または樹脂材料で形成されている。カメラ筐体３１には開口部３１ａが形成されている。開口部３１ａは第２実施形態のカメラ２０（図２参照）の開口部２１ａと同じ形状を有する。
【００４６】
レンズ鏡筒３２はカメラ筐体３１に格納されている。レンズ鏡筒３２はアルミニウム等の金属材料で形成されている。なお、図３における上下方向がレンズ鏡筒３２及びレンズ３３の光軸方向である。
【００４７】
レンズ鏡筒３２の光軸方向の端面（図３における上側の端面）３２ａ側には開口部３２ｂが形成されている。開口部３２ｂは第２実施形態のカメラ２０の開口部２２ｂと同じ形状を有する。
【００４８】
レンズ鏡筒３２の開口部３２ｂとカメラ筐体３１の開口部３１ａとは位置合わせされている。開口部３２ｂ及び開口部３１ａは撮影用の窓として機能する。
【００４９】
レンズ３３は、第２実施形態のカメラ２０のレンズ２３と同じ形状を有し、同じ材料で形成されている。レンズ３３はレンズ鏡筒３２の内部、具体的にはレンズ鏡筒３２の開口部３２ｂ側の内周面３２ｃに固定されている。
【００５０】
ヒータ３４は第２実施形態のカメラ２０のヒータ２４と同様の形状を有する。ヒータ３４はレンズ鏡筒３２の端面３２ａから離れた位置に外周面３２ｄを一周するように固定されている。ヒータ３４でレンズ鏡筒３２を加熱することにより、レンズ３３等に付着した雨や雪を除去したり、雨や雪の付着を抑制したりすることができる。
【００５１】
防水用部材３５は、第２実施形態のカメラ２０の防水用部材２５と同じ形状を有し、同じ材料で形成されている。防水用部材３５は防水用部材２５と同様の位置に配置されている。防水用部材３５はレンズ鏡筒３２の端面３２ａ及びカメラ筐体３１に密着している。
【００５２】
レンズ３３等に付着した雨や溶けた雪などがカメラ筐体３１とレンズ鏡筒３２との間隙に侵入した場合に、カメラ筐体３１の内部への侵入を防水用部材３５で防止することができる。従って、ヒータ３４及びカメラ筐体３１の内部は防水用部材３５により保護されている。
【００５３】
カメラ３０がレンズ３３の光軸が地面と水平になるように設置されている場合、第１実施形態のカメラ１０と同様の理由により、レンズ３３等に付着した雨や雪をヒータ３４により容易に除去したり、雨や雪の付着を容易に抑制したりすることができる。
【００５４】
第３実施形態のカメラ３０によれば、カメラ単体で雨や雪などによる影響を低減させることができる。従って、従来よりも、低価格で、設置場所の自由度を向上させることができる。
【００５５】
第２実施形態のカメラ２０はヒータ２４がレンズ鏡筒２２の端面２２ａの近傍に固定されている。そのため、レンズ鏡筒２２には、ヒータ２４がカメラ筐体２１と接触して破損することを防止するためのリブ２２ｅが形成されている。
【００５６】
それに対して、第３実施形態のカメラ３０はヒータ３４がレンズ鏡筒３２の端面３２ａから離れた位置に固定されている。そのため、ヒータ３４がカメラ筐体３１と接触しないので、リブ２２ｅを形成する必要がない。従って、第３実施形態のカメラ３０のレンズ鏡筒３２の外径Ｒ３２を、第２実施形態のカメラ２０のレンズ鏡筒２２の外径Ｒ２２よりも小さくすることができる。よって、第３実施形態のカメラ３０を第２実施形態のカメラ２０よりも小さくすることができるので、設置場所の自由度をさらに向上させることができる。
【００５７】
［第４実施形態］
図４を用いて第４実施形態のカメラを説明する。図４は第４実施形態のカメラのレンズ周辺部を模式的に示す部分断面図である。
【００５８】
第４実施形態のカメラ４０は、第１実施形態のカメラ１０と比較して、ヒータがレンズ鏡筒の他方の端面に固定されている点で相違する。
【００５９】
カメラ４０は、カメラ筐体４１、レンズ鏡筒４２、レンズ４３、ヒータ４４、及び、防水用部材４５を備える。
【００６０】
カメラ筐体４１は金属材料または樹脂材料で形成されている。カメラ筐体４１には開口部４１ａが形成されている。開口部４１ａは第１実施形態のカメラ１０（図１参照）の開口部１１ａと同じ形状を有する。
【００６１】
レンズ鏡筒４２はカメラ筐体４１に格納されている。レンズ鏡筒４２はアルミニウム等の金属材料で形成されている。なお、図４における上下方向がレンズ鏡筒４２及びレンズ４３の光軸方向である。
【００６２】
レンズ鏡筒４２の光軸方向の一方の端面（図４における上側の端面）４２ａ側には開口部４２ｂが形成されている。開口部４２ｂは第１実施形態のカメラ１０の開口部１２ｂと同じ形状を有する。
【００６３】
レンズ鏡筒４２の開口部４２ｂとカメラ筐体４１の開口部４１ａとは位置合わせされている。開口部４２ｂ及び開口部４１ａは撮影用の窓として機能する。
【００６４】
レンズ４３は、第１実施形態のカメラ１０のレンズ１３と同じ形状を有し、同じ材料で形成されている。レンズ４３はレンズ鏡筒４２の内部、具体的にはレンズ鏡筒４２の開口部４２ｂ側の内周面４２ｃに固定されている。
【００６５】
ヒータ４４はリング形状を有する。ヒータ４４はレンズ鏡筒４２の光軸方向の他方の端面（図４における下側の端面）４２ｆに固定されている。即ち、ヒータ４４は、第１実施形態のカメラ１０のヒータ１４が固定されている端面１２ａとは反対側の端面に固定されている。ヒータ４４でレンズ鏡筒４２を加熱することにより、レンズ４３等に付着した雨や雪を除去したり、雨や雪の付着を抑制したりすることができる。
【００６６】
防水用部材４５は、第１実施形態のカメラ１０の防水用部材１５と同じ形状を有し、同じ材料で形成されている。防水用部材４５は防水用部材１５と同様の位置に配置されている。防水用部材４５はレンズ鏡筒４２の端面４２ａ及びカメラ筐体４１に密着している。
【００６７】
レンズ４３等に付着した雨や溶けた雪などがカメラ筐体４１とレンズ鏡筒４２との間隙に侵入した場合に、カメラ筐体４１の内部への侵入を防水用部材４５で防止することができる。従って、ヒータ４４及びカメラ筐体４１の内部は防水用部材４５により保護されている。
【００６８】
カメラ４０がレンズ４３の光軸が地面と水平になるように設置されている場合、第１実施形態のカメラ１０と同様の理由により、レンズ４３等に付着した雨や雪をヒータ４４により容易に除去したり、雨や雪の付着を容易に抑制したりすることができる。
【００６９】
第４実施形態のカメラ４０によれば、カメラ単体で雨や雪などによる影響を低減させることができる。従って、従来よりも、低価格で、設置場所の自由度を向上させることができる。
【００７０】
第３実施形態のカメラ３０はヒータ３４がレンズ鏡筒３２の外周面３２ｄに固定されている。設計上、ヒータ３４とカメラ筐体３１とが接触しない範囲を十分に確保できない場合がある。このような場合、ヒータ３４がカメラ筐体３１と接触して破損してしまうことを防止するために、第２実施形態のカメラ２０のリブ２２ｅと同様のリブを外周面３２ｄに形成する必要がある。
【００７１】
それに対して、第４実施形態のカメラ４０はヒータ４４がレンズ鏡筒４２の端面４２ｆに固定されている。そのため、外周面４２ｄにリブを形成する必要がない。従って、設計の自由度を向上させることができる。
【００７２】
［第５実施形態］
図５を用いて第５実施形態のカメラを説明する。図５は第５実施形態のカメラのレンズ周辺部を模式的に示す部分断面図である。第５実施形態のカメラは第３実施形態のカメラ３０に対して、レンズ鏡筒に固定されているヒータの位置が同じであり、防水用部材の位置が異なる。なお、説明をわかりやすくするために、第３実施形態のカメラ３０と同じ構成部には同じ符号を付す。
【００７３】
カメラ５０は、カメラ筐体５１、レンズ鏡筒５２、レンズ３３、ヒータ３４、及び、防水用部材５５を備える。
【００７４】
レンズ鏡筒５２の外周面５２ｄにはリブ５２ｆが形成されている。リブ５２ｆはリング形状を有する。リブ５２ｆは、防水用部材５５をレンズ鏡筒５２に容易に位置決めして固定するための位置決め機能を有している。リブ５２ｆは、防水用部材５５の幅よりも高くなるように形成されている。
【００７５】
防水用部材５５はリング形状を有する。防水用部材５５として例えば防水用ゴムを用いることができる。防水用部材５５はリブ５２ｆ及びカメラ筐体５１に密着している。レンズ３３等に付着した雨や溶けた雪などがカメラ筐体５１とレンズ鏡筒５２との間隙に侵入した場合に、カメラ５０の内部への侵入を防水用部材５４で防止することができる。従って、ヒータ３４及びカメラ５０の内部は防水用部材５４により保護される。
【００７６】
［第６実施形態］
図６を用いて第６実施形態のカメラを説明する。図６は第６実施形態のカメラのレンズ周辺部を模式的に示す部分断面図である。第６実施形態のカメラは第４実施形態のカメラ４０に対して、レンズ鏡筒に固定されているヒータ位置が同じであり、防水用部材の位置が異なる。なお、説明をわかりやすくするために、第４実施形態のカメラ４０と同じ構成部には同じ符号を付す。
【００７７】
カメラ６０は、カメラ筐体６１、レンズ鏡筒６２、レンズ４３、ヒータ４４、及び、防水用部材６５を備える。
【００７８】
レンズ鏡筒６２の外周面６２ｄにはリブ６２ｆが形成されている。リブ６２ｆはリング形状を有する。リブ６２ｆは、防水用部材６５をレンズ鏡筒６２に容易に位置決めして固定するための位置決め機能を有している。リブ６２ｆは、防水用部材６５の幅よりも高くなるように形成されている。
【００７９】
防水用部材６５はリング形状を有する。防水用部材６５として例えば防水用ゴムを用いることができる。防水用部材６５はリブ６２ｆ及びカメラ筐体６１に密着している。レンズ４３等に付着した雨や溶けた雪などがカメラ筐体６１とレンズ鏡筒６２との間隙に侵入した場合に、カメラ６０の内部への侵入を防水用部材６５で防止することができる。従って、ヒータ４４及びカメラ６０の内部は防水用部材６５により保護される。
【００８０】
［第７実施形態］
図７を用いて第７実施形態のカメラを説明する。図７は第７実施形態のカメラのレンズ周辺部を模式的に示す部分断面図である。第７実施形態のカメラは第４実施形態のカメラ４０に対してレンズ鏡筒の形状が異なる。なお、説明をわかりやすくするために、第４実施形態のカメラ４０と同じ構成部には同じ符号を付す。
【００８１】
カメラ７０は、カメラ筐体４１、レンズ鏡筒７２、複数のレンズ４３，７３ａ，７３ｂ、ヒータ４４、及び、防水用部材４５を備える。
【００８２】
設計上、複数のレンズ４３，７３ａ，７３ｂが用いられる場合がある。そのため、レンズ鏡筒７２の端面（図７における下側の端面）７２ｂにヒータ４４を固定すると、ヒータ４４とレンズ４３との距離が長くなってしまう。そのため、ヒータ４４に供給する電力が大きくなってしまう。
【００８３】
そこで、レンズ鏡筒７２のレンズ４３近傍の位置に段部７２ｇを形成する。段部７２ｇにヒータ４４を固定することにより、ヒータ４４に供給する電力を、第４実施形態のカメラ４０のヒータ４４に供給する電力とほぼ同じにすることができる。
【００８４】
第１〜第７実施形態のカメラ（１０，２０，３０，４０，５０，６０，７０）は、レンズ鏡筒（１２，２２，３２，４２，５２，６２，７２）にヒータ（１４，２４，３４，４４）が固定されている。レンズ鏡筒は金属材料で形成されている。そのため、ヒータにより発生した熱を、レンズ鏡筒を介してレンズに効率的に伝達させることができる。これにより、レンズ等に付着した雨や雪などを効率的に除去したり、雨や雪などの付着を抑制したりすることができる。
【００８５】
従って、第１〜第７実施形態のカメラによれば、カメラ単体で雨や雪などによる影響を低減することができる。よって、従来よりも低価格で設置場所の自由度を向上させることができる。
【００８６】
第１〜第７実施形態のカメラによれば、レンズ等に付着した雨や雪などが、カメラ筐体とレンズ鏡筒との間隙からカメラの内部へ侵入することを防水用部材（１５，２５，３５，４５，５５，６５）により防止することができる。従って、ヒータ及びカメラの内部は防水用部材により保護される。
【００８７】
第１，第２実施形態のカメラ（１０，２０）は、第３〜第７実施形態のカメラ（３０，４０，５０，６０，７０）と比較して、ヒータ（１４，２４）がレンズ（１３，２３）の近傍に固定されている。そのため、ヒータにより発生した熱をレンズに、より効率的に伝達させることができる。従って、ヒータを加熱させるための消費電力を抑制することができる。
【００８８】
第２〜第４実施形態のカメラ（２０，３０，４０）は、第１実施形態のカメラ（１０）と比較して、防水用部材（２５，３５，４５）が配置されている端面（２２ａ，３２ａ，４２ａ）とは異なる位置にヒータ（２４，３４，４４）が配置されている。そのため、レンズ鏡筒（２２，３２，４２）の外径（Ｒ２２，Ｒ３２，Ｒ４２）を小さくすることができる。これにより、設置場所の自由度をさらに向上させることができる。
【００８９】
設計上、カメラ筐体及びレンズ鏡筒の開口部の開口径を大きくする場合がある。このような場合、第３，第４実施形態のカメラ（３０，４０）では防水用部材（３５，４５）を配置するためのスペースを端面（３２ａ，４２ａ）に確保することが困難になる場合がある。そこで、第５，第６実施形態のカメラ（５０，６０）のように、レンズ鏡筒（５２，６２）の外周面（５２ｄ，６２ｄ）にリブ（５２ｆ，６２ｆ）を形成し、リブで防水用部材（５５，６５）を位置決めすることで、上記の課題を解決することができる。
【００９０】
第１〜第７実施形態のカメラ１０，２０，３０，４０，５０，６０，７０はそれぞれ特徴を有するため、カメラの設計仕様に応じて最適な形態を選択することができる。
【００９１】
なお、本発明に係る実施形態は、上述した構成に限定されるものではなく、本発明の要旨を逸脱しない範囲において種々変更可能である。
【００９２】
例えば、レンズ鏡筒、レンズ、カメラ筐体、ヒータ、及び、防水用部材の各種形状は、第１〜第４実施形態の各種形状に限定されるものではなく、設計仕様に応じて適宜、設計することが可能である。
【符号の説明】
【００９３】
１０（２０，３０，４０，５０，６０，７０）  カメラ
１１（２１，３１，４１，５１，６１）  カメラ筐体
１２（２２，３２，４２，５２，６２，７２）  レンズ鏡筒
１３（２３，３３，４３）  レンズ
１４（２４，３４，４４）  ヒータ
１５（２５，３５，４５，５５，６５）  防水用部材
【図１】
2017102365.tif 000003
【図２】
2017102365.tif 000004
【図３】
2017102365.tif 000005
【図４】
2017102365.tif 000006
【図５】
2017102365.tif 000007
【図６】
2017102365.tif 000008
【図７】
2017102365.tif 000009